(57)【要約】【課題】簡易な制御で画像処理を行うことができ、また、回路規模を増大させることなく目的に応じた画像処理を行うことができる。【解決手段】撮像装置１は、被写体を撮像して得られる画像信号に対して所定の信号処理を施す複数の処理ブロックを備える信号処理回路５と、システムコントローラ６と、画像信号を記憶するメモリ９ｂとを備えている。システムコントローラ６は、補正部を用いて動画像を処理する動画モードと、補正部による信号処理とメモリ９ｂとを用いたフレーム画像の生成処理を含み静止画像を処理する静止画モードと、補正部およびメモリ９ｂを用いて処理を行う際に、動画モード中に実行されるシーケンスと静止画モード中に実行されるシーケンスの一部とを用いる動画中静止画モードとを選択的に実行する。【選択図】図１
2007142693.tif 000002
【特許請求の範囲】
【請求項１】
固体撮像素子を用いて画像を撮像する撮像装置において、
被写体を撮像して得られる画像信号に対して所定の信号処理を施す複数の処理ブロックと、
画像データを記憶するメモリと、
前記処理ブロックを用いて動画像を処理する動画像処理モードと、前記処理ブロックによる信号処理と前記メモリとを用いたフレーム画像の生成処理を含み静止画像を処理する静止画像処理モードと、前記処理ブロックおよび前記メモリを用いて所定の画像を処理する際に、前記動画像処理モード中に実行されるシーケンスの少なくとも一部と前記静止画像処理モード中に実行されるシーケンスの少なくとも一部とを用いる所定画像処理モードとを選択的に実行する制御回路と、
を備えることを特徴とする撮像装置。
【請求項２】
前記所定画像処理モードは、動画像生成処理中に前記処理ブロックによる信号処理と前記メモリとを用いたフレーム画像の生成処理を含み静止画像を処理する動画中静止画像処理モードであることを特徴とする請求項１記載の撮像装置。
【請求項３】
前記メモリに書き込む画像信号を圧縮して格納し、前記メモリから読み出した画像信号を伸長する圧縮伸長部をさらに有し、
前記動画中静止画像処理モードは、前記圧縮伸長部を介して前記動画中静止画像を処理することを特徴とする請求項２記載の撮像装置。
【請求項４】
前記処理ブロックは、前記画像信号に対してチャネル毎に単独で補正処理を施す第１の補正処理ブロックと、前記第１の補正処理ブロックによる処理が行われた画像信号に対して複数チャネルを用いて補正処理を施す第２の補正処理ブロックとを有し、
前記動画像処理モードは、前記第１の補正処理ブロックおよび前記第２の補正処理ブロックの順番で前記動画像を処理するモードであり、
前記静止画像処理モードは、前記第１の補正処理ブロックで処理した画像信号を、前記圧縮伸長部による処理を行わずに前記メモリに格納し、前記圧縮伸長部による処理を行わずに前記メモリから読み出した画像信号を、前記第２の補正処理ブロックで処理するモードであり、
前記動画中静止画像処理モードは、前記第１の補正処理ブロックで処理した画像信号を、前記圧縮伸長部を介して前記メモリに格納するのに先立って前記第２の補正処理ブロックで処理し、前記メモリから読み出したフレーム画像信号を、前記第２の補正処理ブロックを介して出力するモードであることを特徴とする請求項３記載の撮像装置。
【請求項５】
前記動画中静止画像処理モードは、前記第１の補正処理ブロックで処理した画像信号を、前記圧縮伸長部を介して前記メモリに格納するのに先立って前記第２の補正処理ブロックで処理する際に前記動画像処理モード中に実行されるシーケンスを使用し、前記メモリから読み出した画像信号が前記第２の補正処理ブロックを再び通過する際に前記静止画像処理モード中に実行されるシーケンスの少なくとも一部を使用するモードであることを特徴とする請求項４記載の撮像装置。
【請求項６】
前記第２の補正処理ブロックは、前記動画中静止画像処理モードにおいて前記画像信号の最初の通過時にのみ前記補正処理を施すことを特徴とする請求項５記載の撮像装置。
【請求項７】
固体撮像素子を用いて画像を撮像する撮像方法において、
被写体を撮像して得られる画像信号に対して所定の信号処理を施す複数の処理ブロックを用いて動画像を処理する動画像処理モードと、
前記処理ブロックによる信号処理と、画像データを記憶するメモリとを用いたフレーム画像の生成処理を含み静止画像を処理する静止画像処理モードと、
前記処理ブロックおよび／または前記メモリを用いて処理する際に、前記動画像処理モード中に実行されるシーケンスの少なくとも一部と前記静止画像処理モード中に実行されるシーケンスの少なくとも一部とを用いる所定画像処理モードとを選択的に実行する、
ことを特徴とする撮像方法。
【発明の詳細な説明】
【技術分野】
【０００１】
本発明は撮像装置および撮像方法に関し、特に固体撮像素子を用いて画像を撮像する撮像装置および撮像方法に関する。
【背景技術】
【０００２】
ＣＣＤ（Charged Coupled Device）センサや、ＣＭＯＳ（Complementary Metal Oxide Semiconductor）センサ等の固体撮像素子を用いて撮像したデジタルビデオ信号を動画像または静止画像として、記録媒体を介して記録／再生する撮像装置が広く知られている（例えば、特許文献１参照）。
【０００３】
従来の撮像装置の信号処理においては、ＣＣＤ／ＣＭＯＳセンサから出力された画像信号は、Ａ／Ｄコンバート後にカメラ信号処理ＬＳＩ（Large Scale Integration）に入力され、このＬＳＩにおいて主として各種補正処理、輝度処理、色差処理、解像度変換処理等が行われる。
【０００４】
このような撮像装置では、センサから読み出された画像信号は、各処理を実行する複数のブロックに入力され、前段のブロックから後段のブロックにシーケンシャルに処理されるものであり、信号の流れは一方向であるのが一般的である。
【特許文献１】特開２００２−４４５３１号公報
【発明の開示】
【発明が解決しようとする課題】
【０００５】
前述した撮像装置においては、装置内で動作モードを切り替える場合、例えば静止画像を処理するモードと、動画像の任意のフレーム画像を静止画像として処理するモードとを切り替えて使用する場合等に各モード間で信号処理の順序が前後する場合がある。しかしながら、装置内で動作モードを切り替えて信号処理の順序を変化させると全体のディレイ（遅延）に影響を与えるため、各モードで専用のシーケンスや処理回路を別途設ける必要があった。このため制御が複雑化したり、回路規模が増大したりする等の問題があった。
【０００６】
本発明はこのような点に鑑みてなされたものであり、簡易な制御で画像処理を行うことができる撮像装置を提供することを目的とする。
また、他の目的として、回路規模を増大させることなく目的に応じた画像処理を行うことができる撮像装置および撮像方法を提供することを目的とする。
【課題を解決するための手段】
【０００７】
本発明では上記課題を解決するために、固体撮像素子を用いて画像を撮像する撮像装置において、被写体を撮像して得られる画像信号に対して所定の信号処理を施す複数の処理ブロックと、画像データを記憶するメモリと、前記処理ブロックを用いて動画像を処理する動画像処理モードと、前記処理ブロックによる信号処理と前記メモリとを用いたフレーム画像の生成処理を含み静止画像を処理する静止画像処理モードと、前記処理ブロックおよび前記メモリを用いて所定の画像を処理する際に、前記動画像処理モード中に実行されるシーケンスの少なくとも一部と前記静止画像処理モード中に実行されるシーケンスの少なくとも一部とを用いる所定画像処理モードとを選択的に実行する制御回路と、を備えることを特徴とする撮像装置が提供される。
【０００８】
このような撮像装置によれば、制御回路により、所定画像処理モードが実行されると、（既存の）処理ブロックおよびメモリを用いて処理が行われ、その際に、動画像処理モード中に実行されるシーケンスの少なくとも一部と静止画像処理モード中に実行されるシーケンスの少なくとも一部とが用いられる。
【発明の効果】
【０００９】
本発明は、所定画像処理モードが実行されると、処理ブロックおよびメモリを用いて処理が行われ、その際に、動画像処理モード中に実行されるシーケンスの少なくとも一部と静止画像処理モード中に実行されるシーケンスの少なくとも一部とが用いられるため、ディレイ制御が容易となり、簡易な制御で画像処理を行うことができる。また、装置内に新たな処理ブロックを設けたりする必要がないため、回路規模を増大させることなく、処理の目的に応じた画像処理を行うことができる。
【発明を実施するための最良の形態】
【００１０】
以下、本発明の実施の形態を、図面を参照して詳細に説明する。
図１は、実施の形態の撮像装置の要部構成を示すブロック図である。
図１に示す撮像装置１は、光学ブロック２、ドライバ２ａ、駆動部２ｂ、イメージセンサ３、タイミング発生回路（ＴＧ）３ａ、アナログフロントエンド（ＡＦＥ）回路４、信号処理回路５、システムコントローラ６、操作部７、グラフィックＩ／Ｆ（インタフェース）８、およびディスプレイ（画像モニタ）８ａ、メモリＩ／Ｆ９ａ、メモリ９ｂを具備する。
【００１１】
光学ブロック２は、光源からの入射光および被写体からの光（反射光）をイメージセンサ３に集光するためのレンズ、レンズを移動させてフォーカス合わせやズーミングを行うための駆動機構、シャッタ機構、被写体照度に応じて絞りを調節し、レンズを通過した光の量（光量）、すなわち露出を決定するアイリス機構などを具備している。
【００１２】
ドライバ２ａは、システムコントローラ６からの制御信号に基づいて、絞り駆動等、光学ブロック２内の各機構の駆動を制御する駆動信号を出力する。
駆動部２ｂは、ドライバ２ａからの駆動信号を受けて、光学ブロック２の駆動機構を駆動する。
【００１３】
イメージセンサ３は、光電変換素子であるフォトダイオードがマトリクス（行列）状に配列された固体撮像素子であり、ＴＧ３ａから出力されるタイミング信号に基づいて駆動され、被写体からの入射光を電気信号に変換する。なお、イメージセンサとしては特に限定されないが、例えば、ＣＣＤや、ＣＭＯＳ等が挙げられる。
【００１４】
ＴＧ３ａは、システムコントローラ６の制御の下で電子シャッタを制御するタイミング信号を出力する。
ＡＦＥ回路４は保持・利得制御回路４１およびＡ／Ｄ変換回路（Ａ／Ｄ）４２を有している。ＡＦＥ回路４は、例えば１つのＩＣ（Integrated Circuit）として構成され、イメージセンサ３から出力された画像信号に対して、保持・利得制御回路４１がＣＤＳ（Correlated Double Sampling）処理によりＳ／Ｎ（Signal／Noise）比を良好に保つようにサンプルホールドを行い、さらにＡＧＣ（Auto Gain Control）処理により利得（ゲイン）を制御する。また、Ａ／Ｄ変換回路４２がＡ／Ｄ変換を行いデジタル画像信号を出力する。なお、ＣＤＳ処理を行う回路は、イメージセンサ３と同一基板上に形成されてもよい。
【００１５】
信号処理回路５は、ＡＦＥ回路４にてデジタル信号に変換された被写体撮像信号に対し、システムコントローラ６からの制御信号に従い、ＡＦＥ回路４からの画像信号に対するＡＦ（Auto Focus：自動焦点）、ＡＥ（Automatic Exposure：自動露出）、ＡＷＢ（Auto White Balance：オートホワイトバランス）等の各種カメラ制御処理、またはその処理の一部を実行し、被写体の映像信号（輝度信号および色差信号）を生成する。
【００１６】
システムコントローラ６は、例えば、ＣＰＵ（Central Processing Unit）、ＲＯＭ（Read Only Memory）、ＲＡＭ（Random Access Memory）などから構成されるマイクロコントローラであり、前述した演算結果に基づいて、ＲＯＭ等に記憶されたプログラムを実行することにより、光学ブロック２、イメージセンサ３、ＡＦＥ回路４、信号処理回路５等、撮像装置１の各部を統括的に制御することにより、ＡＦ、ＡＥ、ＡＷＢの自動制御処理を行い、撮像被写体の好適な映像信号の生成を行う。
【００１７】
操作部７は、例えばシャッタレリーズボタンなどの各種操作キーやレバー、ダイヤルなどを有しており、ユーザによる入力操作に応じた制御信号をシステムコントローラ６に出力する。
【００１８】
グラフィックＩ／Ｆ８は、信号処理回路５からシステムコントローラ６を介して供給された画像信号から、ディスプレイ８ａに表示させるための画像信号を生成して、この信号をディスプレイ８ａに供給し、画像を表示させる。ディスプレイ８ａは、例えばＬＣＤ（Liquid Crystal Display）からなり、撮像中のカメラスルー画像や図示しない記録媒体に記録されたデータに基づく再生画像などを表示する。
【００１９】
メモリＩ／Ｆ９ａは、信号処理回路５から出力される信号を状況に応じて圧縮符号化してメモリ９ｂに出力する。また、メモリＩ／Ｆ９ａは、メモリ９ｂから出力される信号を状況に応じて伸長して信号処理回路５に出力する。信号の圧縮を行うことにより、メモリアクセス処理の高速化を図ることができる。
【００２０】
メモリ９ｂは、例えば、ＳＤＲＡＭ（Synchronous Dynamic Random Access Memory）で構成されている。
この撮像装置１では、イメージセンサ３によって受光されて光電変換された信号が、順次ＡＦＥ回路４に供給され、ＣＤＳ処理やＡＧＣ処理が施された後、デジタル信号に変換される。信号処理回路５は、状況に応じてメモリ９ｂを使用しつつＡＦＥ回路４から供給されたデジタル画像信号を輝度信号（Ｙ）と色差信号（Ｒ−Ｙ、Ｂ−Ｙ）に変換し、最終的に画質補正処理して出力する。
【００２１】
信号処理回路５から出力された信号は、システムコントローラ６を介してグラフィックＩ／Ｆ８に供給されて表示用の画像信号に変換され、これによりディスプレイ８ａにカメラスルー画像が表示される。また、操作部７からのユーザの入力操作などによりシステムコントローラ６に対して画像の記録が指示されると、信号処理回路５からの画像データは図示しないエンコーダに供給され、所定の圧縮符号化処理が施されて図示しない記録媒体に記録される。システムコントローラ６により後述する静止画モード（静止画像処理モード）が実行されると、信号処理回路５からは１フレーム分の画像データがエンコーダに供給される。また、後述する動画モード（動画像処理モード）が実行されると、処理された画像データがエンコーダに連続的に供給される。
【００２２】
次に、信号処理回路５の内部構成について詳述する。
図２は、信号処理回路を示すブロック図である。
信号処理回路５は、図２中左側から右側に向かって補正部（第１の補正処理ブロック）５１と、セレクタ５２と、補正部（第２の補正処理ブロック）５３と、セレクタ５４と、輝度色差処理部５５と、解像度変換部５６とをこの順番に有している。
【００２３】
まず、補正部５１について説明する。
図３は、補正部を示すブロック図である。
補正部５１は、入力される画像信号に対してチャネル毎に単独で補正処理を施す部位であり、黒レベルを検波する黒積分部５１１と、各センサからの出力信号の違いを吸収して信号を１線化する並び替え部５１２と、パターン生成部５１３とを有している。
【００２４】
再び図２に戻って説明する。
セレクタ５２は、補正部５１から出力される信号の出力先を必要に応じて切り替え、補正部５３またはメモリＩ／Ｆ９ａに出力する。
【００２５】
図４は、補正部を示すブロック図である。
補正部５３は、各画像信号間での（複数チャネルの信号を用いて）信号処理を行う部位であり、黒レベルの補正を行うクランプ補正部５３１と、センサ上の欠陥を周囲の画素から補正する欠陥補正部５３２と、絵柄のノイズ感を低減するノイズ低減部５３３と、画素の混色を補正する混色補正部５３４と、レンズ等による周囲の光量落ちを補正するシェーディング補正部５３５とを有している。なお、補正部５１および補正部５３は、それぞれ所定の処理を行う他のブロックを有していてもよい。
【００２６】
再び図２に戻って説明する。
セレクタ５４は、補正部５３から出力される信号の出力先を必要に応じて切り替え、輝度色差処理部５５またはメモリＩ／Ｆ９ａに出力する。
【００２７】
輝度色差処理部５５は、入力される画像信号から輝度信号（Ｙ）および色差信号（Ｒ−Ｙ、Ｂ−Ｙ）からなる映像信号を生成する。
解像度変換部５６は、被写体映像信号に対し解像度の変換や歪みの補正処理等を行う。
【００２８】
ここで、システムコントローラ６は、ユーザの要求に応じて信号処理回路５とメモリＩ／Ｆ９ａとメモリ９ｂとを用いて処理速度を優先する動画モード、画質を優先する静止画モード、動画像処理中に動画像解像度よりも高い解像度の静止画像を得る動画中静止画モード（動画中静止画像処理モード）の３つのモードを選択的に実行する。以下、各モードにおける信号の流れについて説明する。
【００２９】
＜動画モード＞
動画モードにおいては、信号処理回路５に、逐次、画像信号が入力されるため、前のフィールド画像の黒検波値を使用することにより、補正処理を行う際にメモリ９ｂにアクセスすることなく処理を行う。よって、補正部５１を通った画像信号はセレクタ５２を経由して補正部５３に送られる。また、動画の処理を行う際には、例えば垂直方向の（同色）画素の信号をセンサで加算して出力することにより、解像度（画素数）を下げて出力する。
【００３０】
図５は、動画モードにおける信号の流れおよびディレイを示す模式図である。
動画モードでは、補正部５１、セレクタ５２、補正部５３、セレクタ５４、輝度色差処理部５５の順番で画像信号の処理が行われる。
【００３１】
ここで、画像信号が補正部５１に入力されてから補正部５３に入力されるまでのシーケンスを動画ＣＡＭシーケンス１とし、画像信号が補正部５３に入力されてから輝度色差処理部５５に入力されるまでのシーケンスを動画ＣＡＭシーケンス２とする。また、動画ＣＡＭシーケンス１および動画ＣＡＭシーケンス２のディレイ（動画ＣＡＭシーケンス１および動画ＣＡＭシーケンス２を行うために必要な時間）の一例を、それぞれ２Ｖ（Ｖ：Vertical Synchronizing signal）とする。
【００３２】
＜静止画モード＞
静止画を得るためにはシャッタを切ったフレーム１枚単位での処理が必要である。静止画モードにおいては、補正部５１を通った画像信号は、セレクタ５２経由でメモリ９ｂに書き込まれる。静止画モードではメモリ９ｂに書き込むことにより、フィールド処理（飛び越し走査）で読まれたセンサからの信号をメモリ９ｂに格納（記憶）し、１フレーム（順序走査）分の信号を生成した上で、補正部５３での静止画処理を行うことができる。また、１フレーム分の黒検波を先に行ってから、その検波値を同じフレームの画像に反映させることができる。
【００３３】
なお、動画モードに比べて処理を高速に行う必要がないため、静止画モードにおける画像信号の処理時間は特に限定されていないが、例えば、動画の処理速度が１／６０秒（６０ｆｐｓ）であるとき、その半分である画像１枚１／３０秒（３０ｆｐｓ）周期より遅く処理を行う。また、１／３０秒（３０ｆｐｓ）周期より遅く処理を行う場合においてはメモリＩ／Ｆ９ａでは圧縮、伸長を行わない。
【００３４】
図６は、静止画モードにおける信号の流れおよびディレイを示す模式図である。
なお、セレクタ５２、メモリＩ／Ｆ９ａ間で生じるディレイおよびメモリＩ／Ｆ９ａ、メモリ９ｂ間で生じるディレイは無視できるほどに小さいため、図６（および後述する図７）においてはメモリＩ／Ｆ９ａの記載を省略している。
【００３５】
静止画モードでは、補正部５１、セレクタ５２、メモリＩ／Ｆ９ａ、メモリ９ｂ、メモリＩ／Ｆ９ａ、セレクタ５２、補正部５３、セレクタ５４、輝度色差処理部５５の順番で画像信号の処理が行われる。
【００３６】
こうして、１フレーム分書き込まれた画像信号は、再びメモリ９ｂから読み出されてセレクタ５２に戻り、補正部５３に出力される。
ここで、画像信号が補正部５１に入力されてからメモリ９ｂに書き込まれるまでの処理を静止画ＣＡＭシーケンス１、画像信号がメモリ９ｂから読み出されてから輝度色差処理部５５に入力されるまでの処理を静止画ＣＡＭシーケンス２とすると、静止画ＣＡＭシーケンス１を行うために必要な時間は、動画ＣＡＭシーケンス１と等しく２Ｖである。また、静止画ＣＡＭシーケンス２を行うために必要な時間を、一例として７Ｖとする。
【００３７】
＜動画中静止画モード＞
前述したように、動画中静止画モードは動画像処理中に動画像解像度よりも高い解像度の静止画像を得るモードである。よって、動画中静止画モードでは、動画像解像度よりも高い解像度を得るために、イメージセンサ３の全領域（動画より大きい領域）の画素を出力するため、動画モードに比べて画素数が増加する。
【００３８】
また、画像信号をメモリ９ｂに書き込む際にはフレーム周期の時間制限の中で（動画モードと等しい（静止画モードの倍の）処理スピード、例えば、１／３０秒（３０ｆｐｓ）周期で）動画像解像度よりも高い解像度を備える画像信号を処理する必要がある。
【００３９】
以上の理由により、画素数が増加した画像信号を高速にメモリ９ｂに格納するためには、画像データを圧縮してメモリ９ｂに書き込む必要がある。この圧縮方法としては特に限定されないが、一般的な非可逆圧縮を用いる場合、圧縮前の画像信号と圧縮後に伸長を行い得た画像信号とでは圧縮前の画像信号の画像情報量の方が多く、補正処理を行う際には圧縮前の画像信号を用いるのが好ましい。よって、動画中静止画モードでは各種補正動作を圧縮前に行う。これにより、圧縮された画像におけるノイズ成分が低減する。
【００４０】
図７は、動画中静止画モードにおける信号の流れを示す模式図である。
動画中静止画モードにおいて画像信号は、メモリＩ／Ｆ９ａに入力される前に補正部５３に入力される。具体的には、補正部５１、セレクタ５２、補正部５３、セレクタ５４、メモリＩ／Ｆ９ａ、メモリ９ｂ、メモリＩ／Ｆ９ａ、セレクタ５２、補正部５３、セレクタ５４、輝度色差処理部５５の順番で画像信号の処理が行われる。
【００４１】
ここで、動画中静止画モードでは、画像信号が補正部５３を最初に通過したときにのみ補正処理が施され、２回目（２回目以降）に通過したときは、処理が行われないように制御される。これにより、処理の重複を防止し、また、ディレイの発生を防止することができる。
【００４２】
次に、動画中静止画モードにおけるディレイについて説明する。
図８は、動画中静止画モードにおけるディレイを説明する図である。
画像信号が補正部５１に入力されてからメモリ９ｂに書き込まれるまでのシーケンスを動画中静止画ＣＡＭシーケンス１とし、画像信号がメモリ９ｂから読み出されてから輝度色差処理部５５に入力されるまでのシーケンスを動画中静止画ＣＡＭシーケンス２とすると、動画中静止画ＣＡＭシーケンス１は、動画ＣＡＭシーケンス１と動画ＣＡＭシーケンス２を流用することができる。また、動画中静止画ＣＡＭシーケンス２は、静止画ＣＡＭシーケンス２を流用することができる。よって、動画中静止画ＣＡＭシーケンス１のディレイは、動画ＣＡＭシーケンス１と動画ＣＡＭシーケンス２のディレイと等しく４Ｖとなる。また、動画中静止画ＣＡＭシーケンス２のディレイは、静止画ＣＡＭシーケンス２のディレイと等しく７Ｖとなる。セレクタ５４からメモリ９ｂまでのディレイは、無視できる程小さいため、動画中静止画モードにおけるディレイは１１Ｖとなる。
【００４３】
動画中静止画モードにおいて、メモリ９ｂからの信号の読み出しをセレクタ５４で行うと処理がシンプルで良さそうに見えるが、既存の動画モードと静止画モードには、セレクタ５４を介したメモリ９ｂアクセスのシーケンスが存在しないので、シーケンス（システムディレイ）を新たに作成、設定、制御する必要が発生してしまう。よって処理が複雑化し、また回路構成も複雑なものになってしまう。撮像装置１によれば、システムコントローラ６が動画中静止画モードを実行する際に、動画モードおよび静止画モードのシーケンス（既存のシーケンス）を用いて制御を行う。具体的には、動画モードでの動画ＣＡＭシーケンス１および動画ＣＡＭシーケンス２を用いて補正部５３による補正処理を圧縮前に行ってメモリ９ｂに格納し、静止画モードでの静止画ＣＡＭシーケンス１、静止画ＣＡＭシーケンス２を用いてメモリ９ｂから出力した信号を、セレクタ５２〜セレクタ５４を介して出力する。
【００４４】
これにより、新たなシーケンスを用いる必要がないため、ディレイ制御が容易となり、システムコントローラ６は簡易な制御で画像処理を行うことができる。また、画像信号の流れる前後の処理順序を変えることにより、信号処理回路５（撮像装置１）内に新たな処理ブロックを設ける必要がない。よって、回路規模を増大させることなく、各モードに応じた信号処理を行うことができる。さらに、補正部５３による補正処理を圧縮前に行うため、動画像解像度よりも高い解像度（例えば、静止画モードにて得られる画像と略同等の解像度）で構成される画像を得ることができる。
【００４５】
また、任意の処理ブロックでの処理を複数回行う必要が生じた場合においても、処理順序を変更して同一処理ブロックを再び通過させるように制御することにより、同じ処理を行う処理ブロックを別個に設けることなく処理を行うこともできる。
【００４６】
なお、本実施の形態では、動画モードと静止画モードのシーケンスの一部または全部を動画中静止画モードに適用する例について説明したが、本発明ではこれに限らず、動画モードまたは静止画モードにおいて処理の異なる複数のモードを設けた場合等においても適用することができる。
【００４７】
以上、本発明の撮像装置および撮像方法を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００４８】
また、本発明は、前述した実施の形態のうちの、任意の２以上の構成（特徴）を組み合わせたものであってもよい。
【図面の簡単な説明】
【００４９】
【図１】実施の形態の撮像装置の要部構成を示すブロック図である。
【図２】信号処理回路を示すブロック図である。
【図３】補正部を示すブロック図である。
【図４】補正部を示すブロック図である。
【図５】動画モードにおける信号の流れおよびディレイを示す模式図である。
【図６】静止画モードにおける信号の流れおよびディレイを示す模式図である。
【図７】動画中静止画モードにおける信号の流れを示す模式図である。
【図８】動画中静止画モードにおけるディレイを説明する図である。
【符号の説明】
【００５０】
１……撮像装置、２……光学ブロック、２ａ……ドライバ、２ｂ……駆動部、３……イメージセンサ、３ａ……タイミング発生回路（ＴＧ）、４……アナログフロントエンド（ＡＦＥ）回路、５……信号処理回路、６……システムコントローラ、７……操作部、８……グラフィックＩ／Ｆ（インタフェース）、８ａ……ディスプレイ（画像モニタ）、９ａ……メモリＩ／Ｆ、９ｂ……メモリ、５１、５３……補正部、５２、５４……セレクタ、５５……輝度色差処理部、５６……解像度変換部
【図１】
2007142693.tif 000003
【図２】
2007142693.tif 000004
【図３】
2007142693.tif 000005
【図４】
2007142693.tif 000006
【図５】
2007142693.tif 000007
【図６】
2007142693.tif 000008
【図７】
2007142693.tif 000009
【図８】
2007142693.tif 000010